(57)【要約】【課題】組成、粒度にばらつきが少なく、高い回収率で乾燥粉を捕集することができる噴霧乾燥装置及び噴霧乾燥方法を提供すること。【解決手段】スラリー状の原料粉を噴霧するスラリー噴霧器２１と、原料粉に当てる熱風を導入する熱風導入口２２と、熱風によって上記原料粉を乾燥させることによって得られる乾燥粉を回収して下端から排出する第１乾燥粉排出口２３と、原料粉の乾燥に使用した熱風を排出空気として排出するための空気排出口２５とを備えた本体部２と、本体部２から排出される排出空気に含まれる未回収の乾燥粉を捕集して排出する第２乾燥粉排出口３１を備えたサイクロン３とを有する。サイクロン３において捕集された乾燥粉を再び本体部２に戻す戻し配管３２が、第２乾燥粉排出口３１から延設され、その戻し口２４が、本体部２における上端から空気排出口２５までの距離のうち上端から１／３以内の位置に開口している。【選択図】図１
2007285619.tif 000002
【特許請求の範囲】
【請求項１】
スラリー状の原料粉を噴霧するスラリー噴霧器と、上記原料粉に当てる熱風を導入する熱風導入口と、上記熱風によって上記原料粉を乾燥させることによって得られる乾燥粉を回収して下端から排出する第１乾燥粉排出口と、上記原料粉の乾燥に使用した上記熱風を排出空気として排出するための空気排出口とを備えた本体部と、
該本体部から排出される上記排出空気に含まれる未回収の上記乾燥粉を捕集して排出する第２乾燥粉排出口を備えたサイクロンとを有し、
該サイクロンにおいて捕集した上記乾燥粉を再び上記本体部に戻す戻し配管が、上記第２乾燥粉排出口から延設され、その戻し口が、上記本体部における上端から上記空気排出口までの距離のうち上端から１／３以内の位置に開口していることを特徴とする噴霧乾燥装置。
【請求項２】
請求項１において、さらに、上記サイクロンから排出されるサイクロン排出空気に含まれる未回収の上記乾燥粉を捕集して排出する第３乾燥粉排出口を備えたバックフィルターを有しており、該バックフィルターにおいて捕集した上記乾燥粉を再び本体部に戻すための第２戻し配管が、上記第３乾燥粉排出口から延設され、その戻し口が、上記本体部における上端から上記空気排出口までの距離のうち上端から１／３以内の位置に開口していることを特徴とする噴霧乾燥装置。
【請求項３】
請求項２において、上記第２戻し配管は、上記戻し配管に連結されていることを特徴とする噴霧乾燥装置。
【請求項４】
スラリー状の原料粉を噴霧するスラリー噴霧器と、上記原料粉に当てる熱風を導入する熱風導入口と、上記熱風によって上記原料粉を乾燥させることによって得られる乾燥粉を回収して下端から排出する第１乾燥粉排出口と、上記原料粉の乾燥に使用した上記熱風を排出空気として排出するための空気排出口とを備えた本体部と、該本体部から排出される上記排出空気に含まれる未回収の上記乾燥粉を捕集して排出する第２乾燥粉排出口を備えたサイクロンとを有する噴霧乾燥装置を用い、
上記サイクロンにおいて捕集した上記乾燥粉を再び上記本体部に戻すに当たり、上記本体部における上端から上記空気排出口までの距離のうち上端から１／３以内の位置に戻すことを特徴とする噴霧乾燥方法。
【請求項５】
請求項４において、上記噴霧乾燥装置には、さらに、上記サイクロンから排出されるサイクロン排出空気に含まれる未回収の上記乾燥粉を捕集して排出する第３乾燥粉排出口を備えたバックフィルターを設け、該バックフィルターにおいて捕集した上記乾燥粉を上記本体部に戻すに当たり、上記本体部における上端から上記空気排出口までの距離のうち上端から１／３以内の位置に戻すことを特徴とする噴霧乾燥方法。
【請求項６】
請求項５において、上記バックフィルターにおいて捕集した乾燥粉は、上記サイクロンにおいて捕集した上記乾燥粉に混ぜて上記本体部に戻すことを特徴とする噴霧乾燥方法。
【発明の詳細な説明】
【技術分野】
【０００１】
本発明は、噴霧乾燥装置及び噴霧乾燥方法に関する。
【背景技術】
【０００２】
スラリー状の原料粉を乾燥させ、乾燥粉を得る方法としては、スラリー状の原料粉を噴霧し、その原料粉に熱風を当てることによって乾燥させる噴霧乾燥方法がある。従来より、噴霧乾燥方法には、図３に示すような噴霧乾燥装置９が用いられている。噴霧乾燥装置９は、乾燥粉を三箇所の回収容器２８、３８、４８で捕集する。本体部２で捕集される乾燥粉と、サイクロン３やバックフィルター４において捕集される乾燥粉とは、成分、粒度に差が生じる。そのため、サイクロン３において捕集された乾燥粉は廃却、又は噴霧乾燥後に再混合が行われる。
【０００３】
そこで、粒度バラツキを防ぎ、噴霧乾燥後の混合作業をなくすために、上記サイクロンにおいて捕集された乾燥粉を本体部に戻して製品と混合する方法（特許文献１）が報告されている。この場合は、乾燥粉の回収率が向上する。しかしながら、実際には、必ずしも均一に混合された乾燥粉を得ることができず、組成や粒度にばらつきが生じるという問題がある。
【０００４】
【特許文献１】特開２０００−３３４３３２号公報
【発明の開示】
【発明が解決しようとする課題】
【０００５】
本発明は、かかる従来の問題点に鑑みてなされたものであって、組成、粒度にばらつきが少なく、高い回収率で乾燥粉を捕集することができる噴霧乾燥装置及び噴霧乾燥方法を提供しようとするものである。
【課題を解決するための手段】
【０００６】
第１の発明は、スラリー状の原料粉を噴霧するスラリー噴霧器と、上記原料粉に当てる熱風を導入する熱風導入口と、上記熱風によって上記原料粉を乾燥させることによって得られる乾燥粉を回収して下端から排出する第１乾燥粉排出口と、上記原料粉の乾燥に使用した上記熱風を排出空気として排出するための空気排出口とを備えた本体部と、
該本体部から排出される上記排出空気に含まれる未回収の上記乾燥粉を捕集して排出する第２乾燥粉排出口を備えたサイクロンとを有し、
該サイクロンにおいて捕集した上記乾燥粉を再び上記本体部に戻す戻し配管が、上記第２乾燥粉排出口から延設され、その戻し口が、上記本体部における上端から上記空気排出口までの距離のうち上端から１／３以内の位置に開口していることを特徴とする噴霧乾燥装置にある（請求項１）。
【０００７】
本発明の噴霧乾燥装置は、上述したように、上記スラリー噴霧器と、上記熱風導入口と、上記第１乾燥粉排出口、及び上記空気排出口とを備える本体部を有している。
そのため、本体部においては、上記スラリー噴霧器から噴霧されたスラリー状の原料粉を上記熱風導入口から導入される熱風によって乾燥させながら落下させることができる。これにより、本体部において、スラリー状の原料粉を急速に乾燥し、微細な乾燥粉を得ることができる。
【０００８】
また、上記噴霧乾燥装置は、上記サイクロンを有する。そして、該サイクロンにおいて捕集された上記乾燥粉を再び上記本体部に戻す戻し配管が、上記第２乾燥粉排出口から延設され、その戻し口が、上記本体部における上端から上記空気排出口までの距離のうち上端から１／３以内の位置に開口している。
【０００９】
そのため、上記本体部で未回収となり、上記排出空気に含まれている上記乾燥粉をサイクロンで捕集することができる。そして、上記サイクロンにおいて捕集された上記乾燥粉が上記本体部に直接戻されるため、乾燥粉の回収率を向上することができる。
ここで注目すべき点は、上記戻し口が上記本体部における上端から上記空気排出口までの距離のうち上端から１／３以内の位置に設けられていることである。そのため、上記サイクロンから本体部に戻された乾燥粉は、本体部内の少なくとも２／３以上の高さから上記第１乾燥粉排出口に到達するまでの、比較的長い距離において、本体部内の乾燥粉と混ざり合う。このような優れた混合効果が発揮され、本体部とサイクロンより得られる組成の異なる乾燥粉を均一に混合し、上記第１乾燥粉排出口より排出することができる。それ故、得られる乾燥粉は、組成や粒度のバラツキが小さいものとなる。
【００１０】
第２の発明は、スラリー状の原料粉を噴霧するスラリー噴霧器と、上記原料粉に当てる熱風を導入する熱風導入口と、上記熱風によって上記原料粉を乾燥させることによって得られる乾燥粉を回収して下端から排出する第１乾燥粉排出口と、上記原料粉の乾燥に使用した上記熱風を排出空気として排出するための空気排出口とを備えた本体部と、該本体部から排出される上記排出空気に含まれる未回収の上記乾燥粉を捕集して排出する第２乾燥粉排出口を備えたサイクロンとを有する噴霧乾燥装置を用い、
上記サイクロンにおいて捕集された上記乾燥粉を再び上記本体部に戻すに当たり、上記本体部における上端から上記空気排出口までの距離のうち上端から１／３以内の位置に戻すことを特徴とする噴霧乾燥方法にある（請求項４）。
【００１１】
本発明の噴霧乾燥方法は、上記サイクロンにおいて捕集した上記乾燥粉を再び上記本体部に戻すに当たり、上記本体部における上端から上記空気排出口までの距離のうち上端から１／３以内の位置に戻す。そのため、上述したごとく、優れた混合効果が発揮され、上記本体部と上記サイクロンとより得られる組成の異なる乾燥粉を、均一に混合しながら本体部より排出するため、組成、粒度にばらつきがなく、高い回収率で乾燥粉を捕集することができる。
【発明を実施するための最良の形態】
【００１２】
第１の発明の噴霧乾燥装置は、上記スラリー噴霧器と、上記熱風導入口と、上記第１乾燥粉排出口と、上記空気排出口とを備えた本体部を有する。
上記スラリー噴霧器は、上記本体部の上部に設置されており、回転しながら上記原料粉を噴霧する構成のものを用いることができる。そのため、上記原料粉を微細に噴射することができる。
【００１３】
上記熱風導入口は、上記本体部の上部に配設され、上記熱風を螺旋状に本体部の内部に導入し、上記熱風と上記原料粉との接触が並流となるよう配設されていることが好ましい。
上記第１乾燥粉排出口は、上記本体部の最下部に配設されている。上記乾燥粉のうち、嵩密度の大きいものが落下し、該第１乾燥粉排出口を介して外部に排出される。
上記空気排出口は、上記本体部の外周壁から内部に突出し、中央において下方に向けて開口するよう構成されていることが好ましい。これにより、落下する乾燥粉が排出空気と共に排出される割合を少なくできる。
【００１４】
また、上記噴霧乾燥装置は、上記本体部から排出される上記排出空気に含まれる未回収の上記乾燥粉を捕集して排出する第２乾燥粉排出口を備えたサイクロンを有する。
上記サイクロンは、遠心分離機の一種であり、外形は、円柱状の筒の下端から円錐状に径を小さくしていった構造であり、最下部に上記第２乾燥粉排出口を有し、上部中央に空気排出口が配設されている。
【００１５】
上記排出空気には、比較的嵩密度の小さい未回収の乾燥粉が含まれている。上記排出空気は、上記サイクロンの上部より導入され、該排出空気は、螺旋状に旋回しながら下降していく。そのため、サイクロンの中心は負圧状態となっており、下降した上記排出空気は、サイクロンの中央で上昇し、外部へと排気される。この時、旋回で外周壁へ飛ばされた乾燥粉が落下し、上記第２乾燥粉排出口より排出される。
【００１６】
また、上記噴霧乾燥装置は、サイクロンにおいて捕集した上記乾燥粉を再び上記本体部に戻す戻し配管が、上記第２乾燥粉排出口から延設され、その戻し口が、上記本体部における上端から上記空気排出口までの距離のうち上端から１／３以内の位置に開口している。
上記戻し口が、上記本体部における上端から上記空気排出口までの距離のうち上端から１／３を越える位置に開口している場合には、混合効果が少なくなり、均一に混合することができないため、乾燥粉の組成、粒径のバラツキを抑制することができないという問題がある。
【００１７】
上記噴霧乾燥装置は、さらに、上記サイクロンから排出されるサイクロン排出空気に含まれる未回収の上記乾燥粉を捕集して排出する第３乾燥粉排出口を備えたバックフィルターを有しており、該バックフィルターにおいて捕集した上記乾燥粉を再び本体部に戻すための第２戻し配管が、上記第３乾燥粉排出口から延設され、その戻し口が、上記本体部における上端から上記空気排出口までの距離のうち上端から１／３以内の位置に開口していることが好ましい（請求項２）。
【００１８】
この場合には、上記サイクロンにおいて未回収となり、上記サイクロン排出空気に含まれている乾燥粉をバックフィルターにおいて捕集し、排出することができる。そして、上記第３乾燥粉排出口から排出された乾燥粉を直接本体部に戻すことができるため、回収率を向上することができる。
また、上記第３乾燥粉排出口から延設された上記第２戻し配管の戻し口が、上記本体部における上端から上記空気排出口までの距離のうち上端から１／３以内の位置に開口している。そのため、混合効果が得られ、バックフィルターにおいて回収された上記乾燥粉を、本体部で均一に混合して回収することができる。それ故、得られる乾燥粉の組成、粒径のバラツキを抑制することができる。
【００１９】
上記バックフィルターは、上記サイクロン排出空気が該バックフィルターを通過するとき、上記サイクロン排出空気に含まれるほとんどの乾燥粉を捕集する。
上記バックフィルターに付着した上記乾燥粉は、定期的に通常の空気流れとは逆方向より空気を打ち込むことで、払い落とされ、上記第３乾燥粉排出口より排出する。
【００２０】
また、上記第２戻し配管は、上記戻し配管に連結されていることが好ましい（請求項３）。
この場合には、上記バックフィルターで捕集される乾燥粉を、上記サイクロンで捕集される乾燥粉と共に上記本体部に戻すことができるため、効率が良く、均一に混合することができる。
【００２１】
第２の発明において、上記噴霧乾燥装置には、さらに、上記サイクロンから排出されるサイクロン排出空気に含まれる未回収の上記乾燥粉を捕集して排出する第３乾燥粉排出口を備えたバックフィルターを設け、該バックフィルターにおいて捕集した上記乾燥粉を上記本体部に戻すに当たり、上記本体部における上端から上記空気排出口までの距離のうち上端から１／３以内の位置に戻すことが好ましい（請求項５）。
この場合には、バックフィルターで捕集した乾燥粉を本体部に戻すため、高い回収率で乾燥粉を得ることができる。
【００２２】
上記バックフィルターにおいて捕集した乾燥粉は、上記サイクロンにおいて捕集した上記乾燥粉に混ぜて上記本体部に戻すことが好ましい（請求項６）。
この場合には、上記バックフィルターにおいて捕集した乾燥粉を、上記サイクロンにおいて捕集した上記乾燥粉と共に上記本体部に戻し、均一に混合することができるため、組成、粒径のバラツキが抑制された乾燥粉を、効率良く得ることができる。
【実施例】
【００２３】
（実施例１）
本発明の噴霧乾燥装置にかかる実施例について、図１を用いて説明する。
上記噴霧乾燥装置１は、スラリー状の原料粉５１を噴霧するスラリー噴霧器２１と、上記原料粉に当てる熱風を導入する熱風導入口２２と、上記熱風によって上記原料粉を乾燥させることによって得られる乾燥粉を回収して下端から排出する第１乾燥粉排出口２３と、上記原料粉の乾燥に使用した上記熱風を排出空気として排出するための空気排出口２５とを備えた本体部２を有する。
【００２４】
また、上記本体部２から排出される上記排出空気に含まれる未回収の上記乾燥粉を捕集して排出する第２乾燥粉排出口３１を備えたサイクロン３を有する。
上記サイクロン３において捕集された上記乾燥粉を再び上記本体部２に戻す戻し配管３２が、上記第２乾燥粉排出口３１から延設され、その戻し口２４が、上記本体部２における上端から上記空気排出口２５までの距離Ｌのうち上端から１／３以内の位置に開口している。
また、サイクロン３から排出されるサイクロン排出空気に含まれる未回収の上記乾燥粉を捕集して排出する第３乾燥粉排出口４１を備えたバックフィルター４を有する。
以下、これを詳説する。
【００２５】
まず、本例の噴霧乾燥装置の本体部２は、図１に示すごとく、内部が中空であり、直管状の円筒部２０１と、その下端に逆円錐台状の縮径部２０２が延設された形状を有している。また、上記本体部２は、上端中央にスラリー噴霧器２１、上部側面に熱風導入口２２、最下部に第１乾燥粉排出口２３、上端に戻し口２４、下方に空気排出口２５を有する。
【００２６】
上記熱風導入口２２は、送風機１５から送られる空気を加熱して熱風とする熱風発生装置１３に配管１３５を介して連結されている。本例では、上記熱風発生装置１３の熱源として、都市ガスを使用した。
また、上記スラリー噴霧器２１は本体部２の上端中央に突出するように設けられており、先端がφ３ｍｍの吐出穴２１０を複数個有する約φ２５０ｍｍのディスクになっている。このスラリー噴霧器２１は、配管１２５によって、送液ポンプ１２を介して攪拌槽１１に連結されている。
【００２７】
また、上記第１乾燥粉排出口２３は、直下にロータリーバルブ２６を設置してあり、該ロータリーバルブ２６によって、乾燥粉５の排出状態を制御するよう構成されている。
上記空気排出口２５は、本体部２における上記縮径部２０２の側壁から内部に突き出し、中央において下方に開口するよう構成されている。この空気排出口２５は、サイクロン３の上部側面に連結してある。
【００２８】
上記サイクロン３は、中空であり、本体部２よりも径が小さい直管状の円筒部３０１と、その下端に逆円錐台状の縮径部３０２が配設された形状を有している。
上記サイクロン３の最下部には、第２乾燥粉排出口３１が配設されている。この第２乾燥粉排出口３１の下には、上記第１乾燥粉排出口２３と同様にロータリーバルブ３６が配設してある。また、第２乾燥粉排出口３１から戻し配管３２が延設され、微粒子ブロアー３８を介して、上記戻し口２４に連結されている。
上記サイクロン３の上部には、上記排出空気をサイクロン排出空気として排出するための、サイクロン排出空気排出口３３が設けられ、サイクロン排出空気排出口３３から延設された配管３９がバックフィルター４の上部側面へと連結されている。
【００２９】
バックフィルター４は、直管状の円筒部４０１と、その下端に逆円錐台の縮径部４０２が延設された形状を有しており、その内部に、布状の筒よりなるフィルター部が内蔵されている。
このバックフィルター４の最下部には、第３乾燥粉排出口４１が設けられている。この第３乾燥粉排出口４１の下には、上記第１乾燥粉排出口２３と同様にロータリーバルブ４６が配設してある。
また、上記バックフィルター４の上部側面には、外部に空気を排出するバックフィルター排出空気排出口４３が設けられ、そこから排風機４７を有する配管４７５を延設している。
【００３０】
次に、スラリー状の原料粉を、図１に示す噴霧乾燥装置１を用いて噴霧乾燥する方法について説明する。スラリー状の原料粉としては、表１に示す組成の原料粉と水とを質量％で４８：５２の混合比で混合したものを用いた。
まず、上記攪拌槽１１において、沈殿を防止する程度に、上記原料粉５１を攪拌しながら保管する。上記原料５１は、送液ポンプ１２を介して、上記攪拌槽１１から上記スラリー噴霧器２１へ所定量送られる。上記スラリー噴霧器２１は約１３０００ＲＰＭの回転数で回転しながら、上記吐出穴２１０からスラリー状の原料粉５１を噴霧する。
【００３１】
一方、送風機１５を用いて外部から熱風発生装置１３に空気を送り込み、熱風発生装置１３において、上記空気を３００〜５００℃に加熱し熱風とする。その熱風は、上記熱風導入口２２より本体部２の下部に向かって螺旋状に導入される。
導入された熱風は、噴霧された原料粉５１と接触する。これにより、上記原料粉５１は、上記本体部２の下部に至るまでに乾燥し、乾燥粉５となる。
上記乾燥粉５は、本体部２の最下部に設けられた第１乾燥粉排出口２３から、上記ロータリーバルブ２６を介して外部の回収容器２８に連続的に排出される。このロータリーバルブ２６は、連続的に乾燥粉５を排出し、且つ、本体部２と外部とを遮蔽する機能を有している。
【００３２】
上記乾燥に使用された熱風は、排出空気として、上記空気排出口２５を通過し、上記サイクロン３へと導かれる。
この排出空気には、本体部２で未回収となった乾燥粉５が含まれており、上記サイクロン３では、その乾燥粉５が捕集され、上記サイクロン３の最下部に設けられた第２乾燥粉排出口３１より、ロータリーバルブ３６を介して排出される。
上記第２乾燥粉排出口３１より排出された乾燥粉は、戻し配管３２を通過し、上記微粒子用ブロアー３８を介して、上記戻し口２４より再び本体部２に連続的に戻され、均一に混合されて上記第１乾燥粉排出口２３より排出される。
【００３３】
また、上記排出空気は、サイクロン排出空気として、上記サイクロン排出空気排出口３３を通過し、上記バックフィルターへ４と導かれる。バックフィルター４は、上記サイクロン排出空気に含まれる未回収の上記乾燥粉５を捕集する。乾燥粉５は、第３乾燥粉排出口４１よりロータリーバルブ４６を介して外部の回収容器４８に排出される。
上記サイクロン排出空気は、バックフィルター排出空気として、上記バックフィルター排出空気排出口４３を通過し、排風機４７によって外部に排出される。
【００３４】
【表１】
2007285619.tif 000003
【００３５】
次に、上記噴霧乾燥方法を実施した結果について説明する。
まず、第１乾燥粉排出口２３より捕集された乾燥粉５の回収率は、９５％であった。また、その乾燥粉について、組成及び粒径を測定し、各成分組成及び粒径の平均値、標準偏差を求めた。結果を表２に示す。
本例では、上記サイクロン３から本体部２に戻された乾燥粉＋が、本体部２の上端から第１乾燥粉排出口２３に到達するまでの間、本体部２内の乾燥粉と混合されることで、混合効果が発揮される。そのため、本例の噴霧乾燥装置１は、回収率が高く、また、表２より知られるごとく、組成、粒径のばらつき少なく、乾燥粉を得ることができた。
【００３６】
【表２】
2007285619.tif 000004
【００３７】
（実施例２）
本例では、図２に示す噴霧乾燥装置１０２を用いて、実施例１と同様の原料粉５１から乾燥粉を得た。
本例の噴霧乾燥装置１０２は、同図に示すごとく、実施例１におけるバックフィルター４の構成を変更したものである。具体的には、バックフィルター４に設けられた第３乾燥粉排出口４１に第２戻し配管４２を延設し、上述した戻し配管３２に連結している。そして、バックフィルター４において捕集した上記乾燥粉を上記サイクロン３において捕集した乾燥粉と共に上記本体部２に戻し、本体部２内において均一に混合して上記第１乾燥粉排出口２３より排出するよう構成されている。
その他は、実施例１と同様である。
【００３８】
本例においても、表１に示す組成のスラリー状の原料粉を、図２に示す噴霧乾燥装置１０２を用いて噴霧乾燥した。その結果、第１乾燥粉排出口２３より捕集された乾燥粉５の回収率は、９８％であった。
上記第１排出口２３より排出された乾燥粉５について、上記実施例１と同様にして、組成、粒径を測定し、平均値及び標準偏差を求めた。その結果を表３に示す。
本例の噴霧乾燥装置１０２では、上記サイクロン及び上記バックフィルターで捕集され、本体部に戻された乾燥粉が、本体部の上端から第１乾燥粉排出口に到達するまでの間、本体部内の粉と混合されることで、混合効果が発揮される。そのため、高い回収率で乾燥粉を得ることができ、また、表３より知られるごとく、組成、粒径のばらつきが少なく、乾燥粉を得ることができた。
【００３９】
【表３】
2007285619.tif 000005
【００４０】
（比較例１）
本比較例では、図３に示す従来の噴霧乾燥装置９を用いて、実施例１と同様の原料粉５１から乾燥粉を得た。
図３に示すごとく、上記噴霧乾燥装置９は、実施例１における第２乾燥粉排出口３１から延設された戻し配管３２及び戻し口２４を配設していない。そのため、乾燥粉５を本体部２、サイクロン３、バックフィルター４の三箇所における回収容器２８、３８、４８によりそれぞれで捕集した。
他は実施例１と同様である。
第１乾燥粉排出口３１より捕集された乾燥粉の回収率は、８５％であった。
また、上記本体部２及びサイクロン３において捕集された乾燥粉について、それぞれ、実施例１と同様にして、組成、粒径を測定し、平均値及び標準偏差を求めた。結果を表４に示す。
【００４１】
【表４】
2007285619.tif 000006
【００４２】
本例は、表４より知られるごとく、本体部２において捕集された乾燥粉は、組成、粒度のバラツキが小さく良好であったが、サイクロン３において捕集された乾燥粉は、組成、粒度にバラツキが見られる。
【００４３】
（比較例２）
本比較例では、図４に示すごとく、実施例１に記載の噴霧乾燥装置１における戻し口２４を上記本体部２における上端から上記空気排出口２５までの距離Ｌのうち上端から１／３を超える位置、具体的には、上記空気排出口２５よりも下方に設定し、その他は実施例１と同様の構成とした噴霧乾燥装置９０２の場合（特許文献１と同様の構成を想定した場合）について、実施例１と同様のスラリー状原料粉を噴霧乾燥する場合について検討した。
【００４４】
その結果、第１乾燥粉排出口２３より排出される乾燥粉の回収率は、実施例１と同程度である。
また、上記本体部２より排出される乾燥粉について、実施例１と同様にして、組成、粒径を測定し、平均値及び標準偏差を求めた結果を表５に示す。
【００４５】
【表５】
2007285619.tif 000007
【００４６】
本比較例では、回収率は良好であったが、表５より知られるごとく、バラツキを低減する効果が認められず、バラツキが大きくなる結果を示した。
【図面の簡単な説明】
【００４７】
【図１】実施例１における噴霧乾燥装置の構成を示す説明図。
【図２】実施例２における噴霧乾燥装置の構成を示す説明図。
【図３】比較例１における噴霧乾燥装置の構成を示す説明図。
【図４】比較例２における噴霧乾燥装置の構成を示す説明図。
【符号の説明】
【００４８】
１  噴霧乾燥装置
２  本体部
２１  スラリー噴霧器
２２  熱風導入口
２３  第１乾燥粉排出口
２４  戻し口
２５  空気排出口
３  サイクロン
３１  第２乾燥粉排出口
３２  戻し配管
４  バックフィルター
４１  第３乾燥粉排出口
５  乾燥粉
５１  原料粉
【図１】
2007285619.tif 000008
【図２】
2007285619.tif 000009
【図３】
2007285619.tif 000010
【図４】
2007285619.tif 000011